(57)【要約】【課題】操作者による操作部への操作に関して操作者に対して視覚的に表現することができる画像形成装置を提供する。【解決手段】画像形成装置は、複数の光源による複数種類の発光パターンの発光を制御する発光制御部を備えている。発光制御部は、操作に応じた発光パターンをそれぞれ発光し、複数種類の発光パターンのうち先の先行発光パターンの発光と後の後続発光パターンの発光とが重複する場合において、発光開始タイミングが遅い方の後続発光パターンを優先に発光する。また、発光制御部は、操作に応じた第１発光パターンをそれぞれ発光し、かつ、画像形成装置の所定の動作を表す第２発光パターンを発光し、複数種類の第１発光パターンのうちの何れかの種類の第１発光パターンの発光と第２発光パターンの発光とが重複する場合において、第２発光パターンを優先に発光する。【選択図】図１４
2020064184.tif 000002
【特許請求の範囲】
【請求項１】
複数の光源による複数種類の発光パターンの発光を制御する発光制御部を備え、
前記発光制御部は、操作者による操作部への複数種類の操作に応じた発光パターンをそれぞれ発光し、
前記複数種類の発光パターンのうち先の操作に応じた先行発光パターンの発光と前記先の操作よりも後の操作に応じた後続発光パターンの発光とが重複する場合において、発光開始タイミングが遅い方の前記後続発光パターンを優先に発光することを特徴とする画像形成装置。
【請求項２】
請求項１に記載の画像形成装置であって、
前記発光制御部は、前記後続発光パターンを優先に発光するときには、前記先行発光パターンの発光を停止にすることを特徴とする画像形成装置。
【請求項３】
請求項１又は請求項２に記載の画像形成装置であって、
前記複数種類の操作は、当該画像形成装置に対して電源オフするための電源オフ操作、当該画像形成装置へ情報を入力するための情報入力操作、及び、ジョブを実行するためのジョブ実行操作のうち少なくとも１つを含むことを特徴とする画像形成装置。
【請求項４】
複数の光源による複数種類の発光パターンの発光を制御する発光制御部を備え、
前記発光制御部は、操作者による操作部への複数種類の操作に応じた第１発光パターンをそれぞれ発光し、かつ、当該画像形成装置の所定の動作を表す第２発光パターンを発光し、
前記複数種類の第１発光パターンのうちの何れかの種類の第１発光パターンの発光と前記第２発光パターンの発光とが重複する場合において、前記第２発光パターンを優先に発光することを特徴とする画像形成装置。
【請求項５】
請求項４に記載の画像形成装置であって、
前記発光制御部は、前記第２発光パターンを発光中は、前記第１発光パターンを発光しないことを特徴とする画像形成装置。
【請求項６】
請求項４又は請求項５に記載の画像形成装置であって、
前記発光制御部は、前記第１発光パターンを発光中は、前記第２発光パターンを優先に発光し、前記第１発光パターンの発光を停止にすることを特徴とする画像形成装置。
【請求項７】
請求項６に記載の画像形成装置であって、
前記発光制御部は、前記第２発光パターンの発光を開始した時点で前記第１発光パターンの発光を停止にすることを特徴とする画像形成装置。
【請求項８】
請求項４に記載の画像形成装置であって、
前記複数種類の操作は、当該画像形成装置の電源オン操作を含み、
前記発光制御部は、前記複数種類の第１発光パターンのうちの前記電源オン操作に応じた第１発光パターンの発光と前記第２発光パターンの発光とが重複する場合において、前記電源オン操作に応じた前記第１発光パターンを優先に発光することを特徴とする画像形成装置。
【請求項９】
請求項８に記載の画像形成装置であって、
前記発光制御部は、前記電源オン操作に応じた前記第１発光パターンを優先に発光するときには、前記第２発光パターンの発光を停止することを特徴とする画像形成装置。
【請求項１０】
請求項９に記載の画像形成装置であって、
前記発光制御部は、前記電源オン操作に応じた前記第１発光パターンの発光を終了した時点で前記所定の動作が継続している場合には前記第２発光パターンの発光を再開させることを特徴とする画像形成装置。
【発明の詳細な説明】
【技術分野】
【０００１】
本発明は、複写機、複合機、ファクシミリ装置、プリンタ装置等の画像形成装置、特に、複数の光源による複数種類の発光パターンの発光を制御する画像形成装置に関する。
【背景技術】
【０００２】
複数の光源による複数種類の発光パターンの発光を制御する画像形成装置は、従来から知られている（例えば特許文献１参照）。
【０００３】
詳しくは、特許文献１には、発光パターン（点灯パターン）は、画像形成装置の状態やジョブの進行状況を表示するために用いられる点（段落［００４６］）、具体的には、画像形成装置のレディ状態での発光パターン、画像形成装置のエラー状態での発光パターン、画像形成装置の画像形成状態での発光パターン、画像形成装置のファクシミリ受信状態での発光パターンが記載されている（段落［００７７］−［００８２］）。
【先行技術文献】
【特許文献】
【０００４】
【特許文献１】特開２００８−２３３４８２号公報
【発明の概要】
【発明が解決しようとする課題】
【０００５】
ところで、操作者による操作部への操作に対して視覚的に表現し得る画像形成装置が求められている。しかしながら、特許文献１に記載の画像形成装置は、操作者による操作部への操作に対して発光パターンの発光を制御するものではない。
【０００６】
そこで、本発明は、操作者による操作部への操作に関して操作者に対して視覚的に表現することができる画像形成装置を提供することを目的とする。
【課題を解決するための手段】
【０００７】
前記課題を解決するために、本発明は、次の第１態様及び第２態様の画像形成装置を提供する。
【０００８】
（１）第１態様の画像形成装置
本発明に係る第１態様の画像形成装置は、複数の光源による複数種類の発光パターンの発光を制御する発光制御部を備え、前記発光制御部は、操作者による操作部への複数種類の操作に応じた発光パターンをそれぞれ発光し、前記複数種類の発光パターンのうち先の操作に応じた先行発光パターンの発光と前記先の操作よりも後の操作に応じた後続発光パターンの発光とが重複する場合において、発光開始タイミングが遅い方の前記後続発光パターンを優先に発光することを特徴とする。
【０００９】
（２）第２態様の画像形成装置
本発明に係る第２態様の画像形成装置は、複数の光源による複数種類の発光パターンの発光を制御する発光制御部を備え、前記発光制御部は、操作者による操作部への複数種類の操作に応じた第１発光パターンをそれぞれ発光し、かつ、当該画像形成装置の所定の動作を表す第２発光パターンを発光し、前記複数種類の第１発光パターンのうちの何れかの種類の第１発光パターンの発光と前記第２発光パターンの発光とが重複する場合において、前記第２発光パターンを優先に発光することを特徴とする。
【発明の効果】
【００１０】
本発明によると、操作者による操作部への操作に関して操作者に対して視覚的に表現することが可能となる。
【図面の簡単な説明】
【００１１】
【図１】本発明の実施の形態に係る画像形成装置の概略構成を透視的に示す正面図である。
【図２】本実施の形態に係る画像形成装置の一例の外観を示す斜視図である。
【図３】図１に示す画像形成装置のパターン発光部部分を示す斜視図である。
【図４】図１に示す画像形成装置のパターン発光部部分を示す分解斜視図である。
【図５】図１に示す画像形成装置のパターン発光部部分を示す正面図である。
【図６】図１に示す画像形成装置における操作装置を示す平面図である。
【図７】パターン発光部の周辺部分を側面から見た概略断面図である。
【図８】図１に示す画像形成装置における制御系のシステムブロック図である。
【図９Ａ】第１発光パターンの発光の一例を模式的に示すパターン発光部の平面図である。
【図９Ｂ】第１発光パターンの発光の他の例を模式的に示すパターン発光部の平面図である。
【図９Ｃ】第１発光パターンの発光のさらに他の例を模式的に示すパターン発光部の平面図である。
【図９Ｄ】第１発光パターンの発光のさらに他の例を模式的に示すパターン発光部の平面図である。
【図１０Ａ】第１情報入力部に対する情報入力操作に対応する第１発光パターンの発光開始タイミングを説明するための説明図である。
【図１０Ｂ】第２情報入力部に対する情報入力操作に対応する第１発光パターンの発光開始タイミングを説明するための説明図である。
【図１０Ｃ】第３情報入力部に対する情報入力操作に対応する第１発光パターンの発光開始タイミングを説明するための説明図である。
【図１１】第２発光パターンの発光例を模式的に示すパターン発光部の平面図である。
【図１２】発光制御部による発光制御動作の一例を示すフローチャート（１）である。
【図１３】発光制御部による発光制御動作の一例を示すフローチャート（２）である。
【図１４】発光制御部による発光制御動作の一例を示すフローチャート（３）である。
【発明を実施するための形態】
【００１２】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１３】
図１は、本発明の実施の形態に係る画像形成装置１００の概略構成を透視的に示す正面図である。図２は、本実施の形態に係る画像形成装置１００の一例の外観を示す斜視図である。図３及び図４は、それぞれ、図１に示す画像形成装置１００のパターン発光部１８０部分を示す斜視図及び分解斜視図である。図５は、図１に示す画像形成装置１００のパターン発光部１８０部分を示す正面図である。図６は、図１に示す画像形成装置１００における操作装置１２０を示す平面図である。図７は、パターン発光部１８０の周辺部分を側面から見た概略断面図である。また、図８は、図１に示す画像形成装置１００における制御系のシステムブロック図である。なお、図１から図５において、符号Ｘは、左右方向を、符号Ｙは、前後方向を、符号Ｚは、上下方向を示している。図３から図５において、画像読取装置１０２は一部の図示を省略している。
【００１４】
画像形成装置１００は、コピー機能、スキャナ機能、ファクシミリ機能及びプリンタ機能を有する複合機であり、画像読取装置１０２によって読み取られた原稿の画像を外部に送信する。また、画像形成装置１００は、画像読取装置１０２にて読み取られた原稿の画像又は外部から受信した画像をカラー若しくは単色で用紙（シート）に画像形成する。
【００１５】
画像読取部１３０の上側には、画像読取部１３０に対して開閉自在に支持された原稿自動送り装置１６０（ＡＤＦ）が設けられている。画像形成装置１００は、原稿自動送り装置１６０が開かれると、画像読取部１３０の上方の原稿載置台１３０ａが開放され、原稿を手置きで置くことができるようになっている。また、原稿自動送り装置１６０は、原稿トレイ１６１に載置された原稿を画像読取部１３０における原稿読取部１３０ｂ上に搬送する。画像読取部１３０は、原稿載置台１３０ａに載置された原稿を読み取るか又は原稿自動送り装置１６０にて搬送される原稿を読み取って画像データを生成する。
【００１６】
画像形成装置１００は、光走査装置１、現像装置２、感光体ドラム３、ドラムクリーニング装置４、帯電器５、中間転写ベルト７、定着装置１２、用紙搬送路Ｓ、給紙カセット１８、胴内排出トレイ１４１を備えている。
【００１７】
画像形成装置１００では、ブラック（Ｋ）、シアン（Ｃ）、マゼンタ（Ｍ）、イエロー（Ｙ）の各色を用いたカラー画像、又は、単色（例えば、ブラック）を用いたモノクロ画像に応じた画像データが扱われる。画像形成装置１００の画像転写部５０には、４種類のトナー像を形成するための現像装置２、感光体ドラム３、ドラムクリーニング装置４及び帯電器５が４つずつ設けられ、それぞれがブラック、シアン、マゼンタ及びイエローに対応付けられ、４つの画像ステーションＰａ、Ｐｂ、Ｐｃ、Ｐｄが構成されている。
【００１８】
光走査装置１は、感光体ドラム３の表面を露光して静電潜像を形成する。現像装置２は、感光体ドラム３の表面の静電潜像を現像して、感光体ドラム３の表面にトナー像を形成する。ドラムクリーニング装置４は、感光体ドラム３の表面の残留トナーを除去及び回収する。帯電器５は、感光体ドラム３の表面を所定の電位に均一に帯電させる。上述した一連の動作によって、各感光体ドラム３の表面に各色のトナー像が形成される。
【００１９】
感光体ドラム３の上側には、中間転写ベルト７を介して中間転写ローラ６が配置されている。中間転写ベルト７は、転写駆動ローラ７ａ及び転写従動ローラ７ｂに張架され、矢符Ｃの方向へ周回移動する。画像形成装置１００では、ベルトクリーニング装置９によって残留トナーを除去及び回収し、各感光体ドラム３の表面に形成された各色のトナー像を順次転写して重ね合わせて、中間転写ベルト７の表面にカラーのトナー像を形成する。
【００２０】
２次転写部１１の転写ローラ１１ａは、中間転写ベルト７との間にニップ域が形成されており、用紙搬送路Ｓを通じて搬送されて来た用紙をニップ域に挟み込んで搬送する。用紙は、ニップ域を通過する際に、中間転写ベルト７の表面のトナー像が転写されて定着装置１２に搬送される。
【００２１】
定着装置１２は、用紙を挟んで回転する定着ローラ３１及び加圧ローラ３２を備えている。定着装置１２は、定着ローラ３１及び加圧ローラ３２の間にトナー像が転写された用紙を挟み込んで加熱及び加圧し、トナー像を用紙に定着させる。
【００２２】
給紙カセット１８は、画像形成に使用する用紙を蓄積しておくためのカセットであり、光走査装置１の下側に設けられている。用紙は、用紙ピックアップローラ１６によって給紙カセット１８から引き出されて、用紙搬送路Ｓに搬送される。用紙搬送路Ｓに搬送された用紙は、２次転写部１１や定着装置１２を経由し、排紙ローラ１７に搬送され、胴内排出トレイ１４１に排出される。用紙搬送路Ｓには、搬送ローラ１３、レジストローラ１４及び排紙ローラ１７が配置されている。搬送ローラ１３は、用紙の搬送を促す。レジストローラ１４は、用紙を一旦停止させて、用紙の先端を揃える。レジストローラ１４は、一旦停止した用紙を中間転写ベルト７上のカラートナー像とタイミングに合わせて搬送する。中間転写ベルト７上のカラートナー像は、中間転写ベルト７と転写ローラ１１ａとの間のニップ域で用紙に転写される。
【００２３】
なお、図１では、給紙カセット１８が１つとされているがこれに限定されず、複数の給紙カセット１８を設けた構成とし、それぞれに異なる種類の用紙を積載してもよい。
【００２４】
また、画像形成装置１００は、用紙の表面だけでなく、裏面に画像形成を行う場合は、用紙を排紙ローラ１７から用紙反転経路Ｓｒに逆方向に搬送する。画像形成装置１００は、逆方向に搬送された用紙の表裏を反転し、レジストローラ１４に再度導く。また、画像形成装置１００は、レジストローラ１４に導かれた用紙を表面と同様にして裏面に画像形成し、胴内排出トレイ１４１に搬出する。
【００２５】
画像形成装置１００は、画像形成部１１０と、操作装置１２０（操作パネル）と、画像読取部１３０と、排出部１４０と、支持部１５０と、原稿自動送り装置１６０と、制御部１７０とを備えている。排出部１４０は、画像形成部１１０及び画像読取部１３０の間に用紙を排出する。支持部１５０は、画像形成部１１０及び画像読取部１３０の間に空間ＳＰを設けるように画像読取部１３０を支持する。
【００２６】
画像形成装置本体１０１は、略直方体形状とされている。画像形成装置本体１０１の上面には、画像読取部１３０が設けられ、画像読取部１３０上には、原稿自動送り装置１６０が取り付けられている。また、操作装置１２０は、画像読取部１３０に隣接しており、画像形成装置本体１０１の上面に設けられた画像読取部１３０の前面側に設けられている。ここで、前面側は、操作者が操作装置１２０を操作する操作側である。
操作装置１２０は、画像読取部１３０の左右方向Ｘにおける端部（具体的には右側端部）に設けられている。操作装置１２０は、画像読取部１３０に対して上下方向Ｚに揺動（チルト）する構成とされている。
【００２７】
（各種キー）
操作装置１２０には、操作者に操作される各種キー１２１と表示装置１２２（液晶表示装置）とが設けられている。各種キー１２１及び表示装置１２２は、制御部１７０に電気的に接続されている。各種キー１２１（ハードウェアキー）は、電源キー１２１ａ及び節電キー１２１ｂを含んでいる。電源キー１２１ａは、機械的なメイン電源スイッチ（図示省略）がオンされた状態で画像形成装置１００への電力供給をオンオフするためのキーである。詳しくは、電源キー１２１ａは、電気的なサブ電源スイッチであり、オフされているときには、特定の構成要素、例えば、電話回線によるファクシミリやインターネットファックシミリ機能以外は機能しない。節電キー１２１ｂは、画像形成装置１００が待機状態のときにオンオフするためのキーであり、オンされたときには、画像形成装置１００の待機中の消費電力を抑える省エネルギーモードに入り、オフされたときには、省エネルギーモードが解除される。
【００２８】
また、表示装置１２２の表示画面上には、ジョブ（複写ジョブ、スキャンジョブ、ファクシミリジョブ）を実行するためのジョブ実行キー１２２ａ（ソフトウェアキー）（図６参照）が入力操作可能に表示される。
【００２９】
なお、図６に示す操作装置１２０において、符号１２１ｃは、ハードウェアキーであって、ホーム画面（初期画面）に移行するホーム画面キーである。符号１２２ｂ〜１２２ｇは、ソフトウェアキーであって、それぞれ、カラーモードを選択するカラーモードキー、原稿サイズを選択する原稿サイズキー、用紙サイズを選択する用紙選択キー、両面コピーを選択する両面コピーキー、倍率を選択する倍率選択キー、コピー濃度を選択するコピー濃度キーである。
【００３０】
（人感センサー）
画像形成装置本体１０１における支持部１５０には、人の存在を検知する人感センサー１５１が設けられている。人感センサー１５１は、制御部１７０に電気的に接続されている。制御部１７０は、省エネルギーモードにおいて人感センサー１５１の検知結果により人が居ることを検出すると省エネルギーモードを解除する。
【００３１】
（情報入力部）
また、画像形成装置本体１０１には、画像形成装置１００へ情報を入力するための情報入力部１９０が設けられている。情報入力部１９０は、制御部１７０に電気的に接続されている。
【００３２】
詳しくは、情報入力部１９０は、第１情報入力部１９１、第２情報入力部１９２と、第３情報入力部１９３とを含んでいる。第１情報入力部１９１は、非接触型のインターフェイスであり、ＩＣカード２１０に記録されている情報を読み取るためのＩＣカードリーダー１９１ａを含んでいる。ＩＣカード２１０には、例えば、個人を特定する個人認証情報が記録されている。第２情報入力部１９２は、ＮＦＣ（登録商標）タグ１９２ａ（図６及び図８参照）を含んでいる。第３情報入力部１９３は、接続型のインターフェイスであり、ＵＳＢ（登録商標）メモリー２３０に記録されている情報を読み取るためのＵＳＢポート１９３ａを含んでいる。ここで、ＮＦＣタグ１９２ａは、画像形成装置本体１０１に内蔵されており、例えば、無線ＬＡＮ通信の設定情報が記録されている。ＮＦＣタグ１９２ａに記録されている情報を読み取るためのＮＦＣタグリーダー２２０ａは、例えば、ＮＦＣ対応携帯端末機２２０（典型的には携帯電話機）に内蔵されている。ＮＦＣ対応携帯端末機２２０におけるＮＦＣタグリーダー２２０ａは、画像形成装置本体１０１におけるＮＦＣタグ１９２ａに記録されている無線ＬＡＮ通信の設定情報を読み取り、ＮＦＣタグ１９２ａの読み取り完了フラグＦＬ（インベントリ済みフラグ）をオンにする。
【００３３】
（操作部）
画像形成装置１００において、画像読取部１３０の前面、支持部１５０の前面、操作装置１２０で操作部１０３を構成している。
【００３４】
（制御部）
制御部１７０は、ＣＰＵ等のマイクロコンピュータからなる処理部１７１と、ＲＯＭ等の不揮発性メモリー、ＲＡＭ等の揮発性メモリーを含む記憶部１７２とを有している。制御部１７０は、処理部１７１が記憶部１７２のＲＯＭに予め格納された制御プログラムを記憶部１７２のＲＡＭ上にロードして実行することにより、各種構成要素の作動制御を行う。
【００３５】
（パターン発光部）
パターン発光部１８０は、画像読取部１３０の前面において操作装置１２０の上部に設けられている。パターン発光部１８０は、複数（この例では５つ）の光源１８１〜１８５（この例では青色の発光ダイオード：ＬＥＤ）を備えている。光源１８１〜１８５は、前面側に発光するように左右方向Ｘに並設されている。複数の光源１８１〜１８５は、制御部１７０に電気的に接続されている。処理部１７１は、複数の光源１８１〜１８５の点灯と消灯とを組み合わせた互いに異なる複数種類の発光パターンの発光を制御する発光制御部１７１ａを備える。
【００３６】
詳しくは、パターン発光部１８０は、左右方向に延びるように横長に形成され、表示装置１２２よりも奥側であってかつ操作装置１２０の横幅を含む範囲に設けられる。すなわち、パターン発光部１８０は、操作装置１２０（表示装置１２２）に対向するように設けられる。このことは、パターン発光部１８０は、操作装置１２０の真後ろに設けられるとも言える。また、パターン発光部１８０は、図７に示すように、筐体突出部１０１ａの窪み部の上方に設けられる。
【００３７】
パターン発光部１８０は、基板１８６、導光路形成部材１８７、光拡散部材１８８及びフィルタ１８９を含む。基板１８６の前面側の表面には、パターン発光部１８０の光源１８１〜１８５であるＬＥＤが設けられる。導光路形成部材１８７は、導光路Ｐを形成する。
【００３８】
光拡散部材１８８は、板状の部材であり、前面側の開口を覆うように設けられる。また、光拡散部材１８８は、装置の奥行き方向において光源１８１〜１８５と、フィルタ１８９との中間点よりもフィルタ１８９側に配置される。
【００３９】
フィルタ１８９は、光を透過させることができる光透過性材料で形成され、光拡散部材１８８からの光、すなわち光源１８１〜１８５からの光を透過させてパターン発光部１８０の外部に出射する。
【００４０】
また、フィルタ１８９は、第１面１８９ａ及び第２面１８９ｂを有する。第１面１８９ａ及び第２面１８９ｂは、上下方向の角度が互いに異なるように形成される。すなわち、第１面１８９ａ及び第２面１８９ｂは、光拡散部材１８８からの光を上下方向において異なる視認可能方向へ出射するように形成される。
【００４１】
具体的には、第１面１８９ａは、下に向かうにつれて奥側に傾斜し、第２面１８９ｂは、上に向かうにつれて奥側に傾斜する。つまり、フィルタ１８９の前面側の表面のうち、斜め下方を向く下側の面が第１面１８９ａであり、斜め上方を向く上側の面が第２面１８９ｂである。
【００４２】
また、第１面１８９ａの上方に第２面１８９ｂが設けられ、第１面１８９ａの上端部と、第２面１８９ｂの下端部とが連結される。すなわち、フィルタ１８９は、左右方向から見た場合に、背面側（後方）に開放する断面略Ｖ字状に形成される。画像形成装置１００から人（使用者）が離れている場合は、第１面１８９ａから発光する光により視認が容易である。一方、操作者（使用者）が操作装置１２０の前側に立って操作するため、第２面１８９ｂから発光する光により視認が容易である。このように、パターン発光部１８０は、画像形成装置１００の状況を使用者に報知するための状況表示灯として作用することができ、従って、視認性を向上させることができる。
【００４３】
図９Ａから図９Ｄは、第１発光パターンＰＴ１（１）〜ＰＴ１（ｎ）（ｎは２以上の整数、この例ではｎ＝４）の発光例を模式的に示すパターン発光部１８０の平面図である。図１０Ａから図１０Ｃは、それぞれ、第１情報入力部１９１から第３情報入力部１９３に対する情報入力操作に対応する第１発光パターンＰＴ１（３）の発光開始タイミングを説明するための説明図である。また、図１１は、第２発光パターンＰＴ２の発光例を模式的に示すパターン発光部１８０の平面図である。なお、第１発光パターンＰＴ１（１）〜ＰＴ１（ｎ）及び第２発光パターンＰＴ２の１サイクルは、所定の一定時間（例えば２秒〜４秒程度）である。また、光源１８１〜１８５が点灯するときは瞬時に点灯するのではなく、輝度が次第に大きくなるように点灯する。また、光源１８１〜１８５が消灯するときは瞬時に消灯するのではなく、輝度が次第に小さくなるように消灯する。
【００４４】
発光制御部１７１ａは、複数の光源１８１〜１８５による複数種類の発光パターン〔第１発光パターンＰＴ１（１）〜ＰＴ１（ｎ）〕（図９Ａから図９Ｄ参照）の発光を制御する。発光制御部１７１ａは、操作者による操作部１０３への複数種類の操作に応じた発光パターンをそれぞれ発光する。こうすることで、第１発光パターンＰＴ１（１）〜ＰＴ１（ｎ）の発光により操作者による操作部１０３への操作に関して操作者に対して視覚的に表現することができる。また、発光制御部１７１ａは、画像形成装置１００の所定の動作を表す第２発光パターンＰＴ２（図１１参照）を発光する。
【００４５】
また、発光制御部１７１ａは、複数種類の操作毎に第１発光パターンＰＴ１（１）〜ＰＴ１（ｎ）を異ならせる。こうすることで、操作部１０３への操作の内容を複数種類の操作毎に確実に操作者に認識させることができる。
【００４６】
また、発光制御部１７１ａは、同一の操作（例えば電源キー１２１ａの操作）であって画像形成装置１００の処理動作が異なる場合に（例えば電源キー１２１ａのオン動作及びオフ動作の場合に）発光パターンを異ならせる。こうすることで、同一の操作であって画像形成装置１００の処理動作が異なる場合でも処理動作の内容を確実に操作者に認識させることができる。
【００４７】
＜図９Ａに示す第１発光パターン＞
図９Ａに示す第１発光パターンＰＴ１（１）では、光源１８１〜１８５がまばらに（ランダムに）点灯した後、一斉に点灯し、その後消灯する。これが第１発光パターンＰＴ１（１）の１サイクルの発光である。操作者による操作部１０３への操作は、操作者による電源キー１２１ａのオン操作又は操作者による節電キー１２１ｂのオン操作（省エネルギーモードからの復帰操作）である。第１発光パターンＰＴ１（１）の発光開始タイミングは、電源キー１２１ａ又は節電キー１２１ｂがオンされた時点である。第１発光パターンＰＴ１（１）は、１サイクルのみの発光である。
【００４８】
なお、人感センサー１５１の検知結果により人が居ることを検出したときに、第１発光パターンＰＴ１（１）を発光するようにしてもよい。また、操作者による電源キー１２１ａ及び節電キー１２１ｂのオン操作は、言うまでもないが、人為的なオフ操作であり、プリントジョブ受信時、オートシャットオフ時などの自動でのオン時は対象外である。
【００４９】
＜図９Ｂに示す第１発光パターン＞
図９Ｂに示す第１発光パターンＰＴ１（２）では、光源１８１〜１８５が一斉に点灯し（中央から順に光量差があり）、その後まばらな（ランダムな）タイミングで消灯する。これが第１発光パターンＰＴ１（２）の１サイクルの発光である。操作者による操作部１０３への操作は、操作者による電源キー１２１ａのオフ操作又は操作者による節電キー１２１ｂのオフ操作（省エネルギーモードへの移行操作）である。第１発光パターンＰＴ１（２）の発光開始タイミングは、電源キー１２１ａ又は節電キー１２１ｂがオフされた時点である。第１発光パターンＰＴ１（２）は、１サイクルのみの発光である。
【００５０】
なお、操作者による電源キー１２１ａのオフ操作は、画質調整中の表示装置１２２の表示画面に表示されるメッセージとは連動しない。例えば、図９Ｂに示す第１発光パターンＰＴ１（２）が発光中であっても表示装置１２２の表示画面に「画質調整中です。しばらくお待ちください。」といったメッセージが表示されない場合がある。
【００５１】
＜図９Ｃに示す第１発光パターン＞
図９Ｃに示す第１発光パターンＰＴ１（３）では、光源１８１〜１８５のうち中央部の光源１８３が点灯した後、光が左右方向Ｘに広がるように外側に向けて順に（光源１８２から光源１８１の順に、光源１８４から光源１８５の順に）点灯する。そして、先に点灯していた光源１８３，（１８２，１８４），（１８１，１８５）は、後の光源（１８２，１８４），（１８１，１８５）が点灯する毎に順に消灯する。これが第１発光パターンＰＴ１（３）の１サイクルの発光である。操作者による操作部１０３への操作は、情報入力部１９０に対する情報入力操作である。詳しくは、情報入力部１９０に対する情報入力操作は、第１情報入力部１９１（ＩＣカードリーダー１９１ａ）でのＩＣカード２１０に対する第１情報入力操作、第２情報入力部１９２（ＮＦＣタグ１９２ａ）での読み取り完了フラグＦＬに対する第２情報入力操作、第３情報入力部１９３（ＵＳＢポート１９３ａ）でのＵＳＢメモリー２３０に対する第３情報入力操作である。第１情報入力操作（ＩＣカードリーダー１９１ａでの読取操作）での第１発光パターンＰＴ１（３）の発光開始タイミングは、ＩＣカード２１０の情報を受信してＩＣカード２１０の情報の受信を完了した時点である（図１０Ａ参照）。第２情報入力操作（ＮＦＣタグ１９２ａでの読取操作）での第１発光パターンＰＴ１（３）の発光開始タイミングは、読み取り完了フラグＦＬがオンして無線ＬＡＮ情報の読み取り完了を認識した時点である（図１０Ｂ参照）。また、第３情報入力操作（ＵＳＢポート１９３ａでの読取操作）での第１発光パターンＰＴ１（３）の発光開始タイミングは、ＵＳＢメモリー２３０がＵＳＢポート１９３ａに差し込まれたことを認識した時点である（図１０Ｃ参照）。第１発光パターンＰＴ１（３）は、１サイクルのみの発光である。
【００５２】
＜図９Ｄに示す第１発光パターン＞
図９Ｄに示す第１発光パターンＰＴ１（ｎ）では、光源１８１〜１８５が一斉に点灯し、その後、同じタイミングで徐々に消灯する。これが第１発光パターンＰＴ１（ｎ）の１サイクルの発光である。操作者による操作部１０３への操作は、操作者による表示装置１２２の表示画面に表示されたキーに対するオン操作である。詳しくは、キーに対するオン操作は、第１オン操作から第３オン操作を含む。第１オン操作は、操作装置１２０から操作者がコピー機能、スキャナ機能、ファクシミリ機能の動作開始を指示するジョブ実行キー１２２ａのオン操作である。第２オン操作は、一度のキー操作で複数の動作が同時に行われるジョブ実行時での実行キーのオン操作である。第３オン操作は、画像形成装置１００がクラウドサーバーされた場合におけるクラウドサーバーとの連携時での操作者がジョブ実行キー１２２ａのオン操作である。
【００５３】
ここで、第１オン操作は、印刷画像のプレビューや、大量原稿モード（原稿自動送り装置１６０で数回に分けて読み込んで一度にまとめてコピー又は送信するモード）などの各種モードでのキーのオン操作も含む。また、第１オン操作は、電話回線によるファクシミリやインターネットファックシミリ機能の受信、印字、保存、転送のユーザによるキーのオン操作も含む。
【００５４】
第１発光パターンＰＴ１（ｎ）の発光開始タイミングは、第１オン操作では、操作者がジョブ実行キー１２２ａをオン操作した時点であり、第２オン操作では、一度のキー操作で複数の動作のジョブが同時に実行された時点であり、また、第３オン操作では、ジョブ実行キー１２２ａ（例えばクラウドサーバー上のデータの印刷ジョブのジョブ実行キー１２２ａ、クラウドサーバーへのスキャンデータの送信ジョブのジョブ実行キー１２２ａ）をオン操作した時点である。第１発光パターンＰＴ１（ｎ）は、１サイクルのみの発光である。
【００５５】
＜図１１に示す第２発光パターン＞
図１１に示す第２発光パターンＰＴ２では、光源１８１〜１８５のうち左端の光源１８１から点灯を開始した後、右側へ流れるように順番に点灯する。すなわち、先に点灯していた光源１８１，１８２，１８３，１８４は、後の光源１８２，１８３，１８４，１８５が点灯する毎に順に消灯し、最後に右端の光源１８５が消灯する。これが第２発光パターンＰＴ２の１サイクルの発光である。画像形成装置１００の所定の動作は、画像形成装置１００で適正な画像形成動作が行えない動作、或いは、画像形成動作自体が行えない動作である。詳しくは、所定の動作は、画質を自動的に調整している動作（画質調整動作）、トナーを現像装置２に自動的に補給している動作（トナー補給動作）、定着装置１２が所定の定着温度に達するまでの動作（ウォームアップ動作）である。第２発光パターンＰＴ２の発光開始タイミングは、画質調整動作では、画質の調整を行った時点（例えばオートカラーキャリブレーション、濃度補正など）であり、トナー補給動作では、トナー補給を開始した時点であり、また、ウォームアップ動作では、画像形成装置本体１０１が電源オフ状態、省エネルギーモード状態から復帰した時点である。第２発光パターンＰＴ２の終了開始タイミングは、画質調整動作では、画質の調整が完了した時点であり、トナー補給動作では、トナー補給が完了した時点であり、また、ウォームアップ動作では、ウォームアップが完了した時点である。
【００５６】
＜システム設定＞
第１発光パターンＰＴ１（１）〜ＰＴ１（ｎ）及び第２発光パターンＰＴ２の発光を行うか否かの設定は、記憶部１７２に予め設定された設定フラグＳＦＬ（図８参照）によって行うことができる。例えば、発光制御部１７１ａは、設定フラグＳＦＬがオンされていると、第１発光パターンＰＴ１（１）〜ＰＴ１（ｎ）及び第２発光パターンＰＴ２の発光を行う。一方、発光制御部１７１ａは、設定フラグＳＦＬがオフされていると、第１発光パターンＰＴ１（１）〜ＰＴ１（ｎ）及び第２発光パターンＰＴ２の発光を行わない。
【００５７】
＜シミュレーションモード時＞
発光制御部１７１ａは、画像形成装置１００がシミュレーションモードに入っているときには、第３情報入力操作（ＵＳＢポート１９３ａでの読取操作）に対応する第１発光パターンＰＴ１（３）以外の発光は行わない。
【００５８】
＜発光制御部による発光制御動作例＞
図１２から図１４に示すフローチャート（１）〜（３）では、電源キー１２１ａがオンされてからオフされるまでに発光制御部１７１ａが行う発光制御動作例を示している。
【００５９】
−フローチャート（１）−
図１２は、発光制御部１７１ａによる発光制御動作の一例を示すフローチャート（１）である。
【００６０】
図１２に示す発光制御動作の一例では、先ず、発光制御部１７１ａは、１サイクル分の第１発光パターンＰＴ１（１）を発光し（Ｓ１）、画像形成装置１００がウォームアップ動作か否かを判断する（Ｓ２）。発光制御部１７１ａは、ウォームアップ動作のときには（Ｓ２：Ｙｅｓ）、第２発光パターンＰＴ２を発光し（Ｓ３）、Ｓ２へ移行する。一方、発光制御部１７１ａは、ウォームアップ動作でないときには（Ｓ２：Ｎｏ）、ステップＳ３に移行する。
【００６１】
次に、発光制御部１７１ａは、ジョブ実行キー１２２ａのオンにより（Ｓ４）、１サイクル分の第１発光パターンＰＴ１（４）を発光し（Ｓ５）、操作者により電源キー１２１ａがオフ操作されたか否かを判断する（Ｓ６）。
【００６２】
次に、発光制御部１７１ａは、電源キー１２１ａがオフ操作されていないときには（Ｓ６：Ｎｏ）、ステップＳ４に移行する。一方、発光制御部１７１ａは、電源キー１２１ａがオフ操作されたときには（Ｓ６：Ｙｅｓ）、１サイクル分の第１発光パターンＰＴ１（２）を発光する（Ｓ７）。
【００６３】
−フローチャート（２）−
図１３は、発光制御部１７１ａによる発光制御動作の他の例を示すフローチャート（２）である。
【００６４】
図１３に示すフローチャート（２）は、図１２に示すフローチャート（１）とはＳ５とＳ６との間にＳ５１〜Ｓ５３を付加した点で異なる。以下では、Ｓ５１〜Ｓ５３を中心に説明する。
【００６５】
図１３に示す発光制御動作の他の例では、発光制御部１７１ａは、先の操作に応じた先行発光パターンＰＴ１（４）を発光した後（Ｓ５）、情報入力部１９０に対する情報入力操作（ＩＣカードリーダー１９１ａでの読取操作、ＮＦＣタグ１９２ａでの読取操作、ＵＳＢポート１９３ａでの読取操作）があったか否かを判断する（Ｓ５１）。発光制御部１７１ａは、情報入力操作がない場合には（Ｓ５１：Ｎｏ）、Ｓ６に移行する。一方、発光制御部１７１ａは、情報入力操作があった場合には（Ｓ５１：Ｙｅｓ）、先行発光パターンＰＴ１（４）の発光を停止し（Ｓ５２）、１サイクル分の後の操作に応じた後続発光パターンＰＴ１（３）を発光し（Ｓ５３）、後続発光パターンＰＴ１（３）の発光を開始した時点（発光トリガを出した時点）で先行発光パターンＰＴ１（４）の発光を停止にする。
【００６６】
−フローチャート（３）−
図１４は、発光制御部１７１ａによる発光制御動作のさらに他の例を示すフローチャート（３）である。
【００６７】
図１４に示すフローチャート（３）は、図１２に示すフローチャート（１）とはＳ５とＳ６との間にＳ５４〜Ｓ５８を付加した点で異なる。以下では、Ｓ５４〜Ｓ５８を中心に説明する。
【００６８】
図１４に示す発光制御動作のさらに他の例では、発光制御部１７１ａは、第１発光パターンＰＴ１（４）を発光した後（Ｓ５）、画像形成装置１００が所定の動作（画質調整動作、トナー補給動作、ウォームアップ動作）であるか否かを判断する（Ｓ５４）。発光制御部１７１ａは、所定の動作でない場合には（Ｓ５４：Ｎｏ）、Ｓ６に移行する。一方、発光制御部１７１ａは、所定の動作である場合には（Ｓ５４：Ｙｅｓ）、第１発光パターンＰＴ１（４）の発光中か否かを判断する（Ｓ５５）。発光制御部１７１ａは、第１発光パターンＰＴ１（４）の発光が終了している場合には（Ｓ５５：Ｎｏ）、第２発光パターンＰＴ２を画像形成装置１００が所定の動作ではなくなるまで（Ｓ５４：Ｎｏ）発光する（Ｓ５６）。発光制御部１７１ａは、第１発光パターンＰＴ１（４）が発光中である場合には（Ｓ５５：Ｙｅｓ）、第１発光パターンＰＴ１（４）の発光を停止し（Ｓ５７）、第２発光パターンＰＴ２を画像形成装置１００が所定の動作ではなくなるまで（Ｓ５４：Ｎｏ、Ｓ５５：Ｙｅｓ）発光し（Ｓ５８）、画像形成装置１００が所定の動作ではなくなった後も第１発光パターンＰＴ１（４）の発光を停止にする。
【００６９】
（第１実施形態）
第１実施形態では、発光制御部１７１ａは、操作者による操作部１０３への複数種類の操作に応じた発光パターン〔第１発光パターンＰＴ１（１）〜ＰＴ１（ｎ）〕をそれぞれ発光する。こうすることで、第１発光パターンＰＴ１（１）〜ＰＴ１（ｎ）の発光により操作者による操作部１０３への操作に関して操作者に対して視覚的に表現することができる。しかも、発光制御部１７１ａは、複数種類の第１発光パターンのうち先の操作に応じた先行発光パターンＰＴ１（２）〜ＰＴ１（ｎ）の発光と先の操作よりも後の操作に応じた後続発光パターンＰＴ１（２）〜ＰＴ１（ｎ）の発光とが重複する場合において、発光開始タイミングが遅い方の後続発光パターンＰＴ１（２）〜ＰＴ１（ｎ）を優先に発光する。こうすることで、操作者による操作部１０３への先の操作が受け付けられた後に操作部１０３への後の操作が受け付けられたことを操作者に認識させることができる。
【００７０】
第１実施形態において、発光制御部１７１ａは、後続発光パターンＰＴ１（２）〜ＰＴ１（ｎ）を優先に発光するときには、先行発光パターンＰＴ１（２）〜ＰＴ１（ｎ）の発光を停止にする。こうすることで、発光制御部１７１ａは、後続発光パターンＰＴ１（２）〜ＰＴ１（ｎ）と先行発光パターンＰＴ１（２）〜ＰＴ１（ｎ）とを混同して発光することを回避することができる。
【００７１】
ところで、後続発光パターンＰＴ１（２）〜ＰＴ１（ｎ）の発光後も先行発光パターンＰＴ１（２）〜ＰＴ１（ｎ）を発光すると、操作者による操作部１０３への後の操作よりも後にさらに操作部１０３への先の操作がなされたような誤解を招く。
【００７２】
この点、第１実施形態において、発光制御部１７１ａは、後続発光パターンＰＴ１（２）〜ＰＴ１（ｎ）の発光を開始した時点（発光トリガを出した時点）で先行発光パターンＰＴ１（２）〜ＰＴ１（ｎ）の発光を停止にする。こうすることで、発光制御部１７１ａは、後続発光パターンＰＴ１（２）〜ＰＴ１（ｎ）の発光を開始した時点で先行発光パターンＰＴ１（２）〜ＰＴ１（ｎ）を復活させないようにすることができる。これにより、操作者による操作部１０３への後の操作よりも後にさらに操作部１０３への先の操作がなされたといった誤解を回避することができる。
【００７３】
第１実施形態において、複数種類の操作は、画像形成装置１００に対して電源オフするための電源オフ操作、画像形成装置１００へ情報（信号又はデータ）を入力するための情報入力操作、及び、ジョブを実行するためのジョブ実行操作のうち少なくとも１つを含んでいる。こうすることで、発光制御部１７１ａは、ジョブ実行操作に対応する先行発光パターンＰＴ１（ｎ）の発光の途中で電源オフ操作又は情報入力操作を受け付けると、ジョブ実行操作に対応する先行発光パターンＰＴ１（ｎ）に優先して電源オフ操作又は情報入力操作に対応する後続発光パターンＰＴ１（２），ＰＴ１（３）を発光する。また、発光制御部１７１ａは、情報入力操作に対応する先行発光パターンＰＴ１（３）の発光の途中で電源オフ操作又はジョブ実行操作を受け付けると、情報入力操作に対応する先行発光パターンＰＴ１（３）に優先して電源オフ操作又はジョブ実行操作に対応する後続発光パターンＰＴ１（２），ＰＴ１（ｎ）を発光する。また、発光制御部１７１ａは、電源オフ操作に対応する先行発光パターンＰＴ１（２）の発光の途中でジョブ実行操作又は情報入力操作を受け付けると、電源オフ操作に対応する先行発光パターンＰＴ１（２）に優先して情報入力操作又はジョブ実行操作に対応する後続発光パターンＰＴ１（３），ＰＴ１（ｎ）を発光する。例えば、発光制御部１７１ａは、電源オフ操作を受け付けた場合、電源オフ操作に対応する第１発光パターンＰＴ１（２）の発光を終了した後に電源オフ動作を開始することができる。この場合、発光制御部１７１ａは、電源オフ操作に対応する第１発光パターンＰＴ１（２）の発光の途中でジョブ実行操作又は情報入力操作を受け付けたときは、電源オフ動作を取り消すことができる。
【００７４】
（第２実施形態）
第２実施形態では、発光制御部１７１ａは、操作者による操作部１０３への複数種類の操作に応じた複数種類の第１発光パターンＰＴ１（１）〜ＰＴ１（ｎ）をそれぞれ発光する。こうすることで、第１発光パターンＰＴ１（１）〜ＰＴ１（ｎ）の発光により操作者による操作部１０３への操作に関して操作者に対して視覚的に表現することができる。ところで、画像形成装置１００の所定の動作（例えば画質調整動作、トナー補給動作及びウォームアップ動作）は操作者を待たせている動作なので、すなわち、画像形成装置１００で適正な画像形成動作が行えない動作、或いは、画像形成動作自体が行えない動作であるため、第１発光パターンＰＴ１（２）〜ＰＴ１（ｎ）１８０を発光させるべきではない。この点、発光制御部１７１ａは、所定の動作を表す第２発光パターンＰＴ２を発光し、複数種類の第１発光パターンＰＴ１（２）〜ＰＴ１（ｎ）のうちの何れかの種類の第１発光パターンＰＴ１（ｉ）（ｉは２からｎまでの整数）の発光と第２発光パターンＰＴ２の発光とが重複する場合において、第２発光パターンＰＴ２を優先に発光する。こうすることで、操作者による操作部１０３への操作が受け付けられた後に所定の動作を操作者に認識させることができる。
【００７５】
ところで、第２発光パターンＰＴ２の発光は、画像形成装置１００の操作者に報知すべき所定の動作（例えば画質調整動作、トナー補給動作及びウォームアップ動作）を表しているため、所定の動作が継続しているときには、第２発光パターンＰＴ２の発光も継続していることが望ましい。
【００７６】
この点、第２実施形態において、発光制御部１７１ａは、第２発光パターンＰＴ２を発光中は、第１発光パターンＰＴ１（２）〜ＰＴ１（ｎ）の発光をしない（発光トリガはキャンセルとなる）。こうすることで、発光制御部１７１ａは、第２発光パターンＰＴ２を発光中は、第１発光パターンＰＴ１（２）〜ＰＴ１（ｎ）を発光しないようにすることができる。これにより、所定の動作が継続しているときには、第２発光パターンＰＴ２の発光を継続することができる。
【００７７】
第２実施形態において、発光制御部１７１ａは、第１発光パターンＰＴ１（２）〜ＰＴ１（ｎ）を発光中は、第２発光パターンＰＴ２を優先に発光し、第１発光パターンＰＴ１（２）〜ＰＴ１（ｎ）の発光を停止にする。こうすることで、発光制御部１７１ａは、第２発光パターンＰＴ２と第１発光パターンＰＴ１（２）〜ＰＴ１（ｎ）とを混同して発光することが回避することができる。
【００７８】
ところで、第２発光パターンＰＴ２の発光後も第１発光パターンＰＴ１（２）〜ＰＴ１（ｎ）を発光すると、所定の動作の終了後に操作者による操作部１０３への操作がなされたような誤解を招く。
【００７９】
この点、第２実施形態において、発光制御部１７１ａは、第２発光パターンＰＴ２の発光を開始した時点（発光トリガを出した時点）で第１発光パターンＰＴ１（２）〜ＰＴ１（ｎ）の発光を停止にする。こうすることで、発光制御部１７１ａは、第２発光パターンＰＴ２の発光を開始した時点で第１発光パターンＰＴ１（２）〜ＰＴ１（ｎ）を復活させないようにすることができる。これにより、所定の動作の終了後に操作者による操作部１０３への操作がなされたといった誤解を回避することができる。
【００８０】
（第３実施形態）
第３実施形態では、発光制御部１７１ａは、操作者による操作部１０３への複数種類の操作に応じた第１発光パターンＰＴ１（１）〜ＰＴ１（ｎ）をそれぞれ発光する。こうすることで、第１発光パターンＰＴ１（１）〜ＰＴ１（ｎ）の発光により操作者による操作部１０３への操作に関して操作者に対して視覚的に表現することができる。しかも、発光制御部１７１ａは、所定の動作を表す第２発光パターンＰＴ２を発光する。複数種類の操作は、画像形成装置１００の電源オン操作を含んでいる。ところで、ウォームアップ中に画像形成装置１００が所定の動作（例えば画質調整動作、トナー補給動作及びウォームアップ動作）となっても、操作者にウォームアップ中であることを認識させることが望まれる。この点、発光制御部１７１ａは、複数種類の第１発光パターンＰＴ１（１）〜ＰＴ１（ｎ）のうちの電源オン操作に応じた第１発光パターンＰＴ１（１）の発光と第２発光パターンＰＴ２の発光とが重複する場合において、電源オン操作に応じた第１発光パターンＰＴ１（１）を優先に発光する。こうすることで、ウォームアップ中にたとえ画像形成装置１００が所定の動作となっても、電源オン操作に応じた第１発光パターンＰＴ１（１）を発光することができ、従って、操作者にウォームアップ中であることを認識させることができる。
【００８１】
なお、電源オン操作して電源オン操作に対応する第１発光パターンＰＴ１（１）が発光するときは、ウォームアップ中のため、そもそも電源オフ操作、情報入力操作及びジョブ実行操作を受け付けない。従って、電源オン操作に対応する第１発光パターンＰＴ１（１）と、電源オフ操作、情報入力操作又はジョブ実行操作に対応する第１発光パターンＰＴ１（２）〜ＰＴ１（ｎ）とが重複することはない。
【００８２】
第３実施形態において、発光制御部１７１ａは、電源オン操作に応じた第１発光パターンＰＴ１（１）を優先に発光するときには、第２発光パターンＰＴ２の発光を停止する。こうすることで、発光制御部１７１ａは、電源オン操作に応じた第１発光パターンＰＴ１（１）と第２発光パターンＰＴ２の発光とを混同して発光することを回避することができる。
【００８３】
ところで、電源オン操作に応じた第１発光パターンＰＴ１（１）の発光後も画像形成装置１００の所定の動作（例えば画質調整動作、トナー補給動作及びウォームアップ動作）が継続している場合には、操作者に画像形成装置１００が所定の動作にあることを認識させることが望まれる。
【００８４】
この点、第３実施形態において、発光制御部１７１ａは、電源オン操作に応じた第１発光パターンＰＴ１（１）の発光を終了した時点（発光トリガがキャンセルとなった時点）で所定の動作が継続している場合には第２発光パターンＰＴ２の発光を再開させる。こうすることで、電源オン操作に応じた第１発光パターンＰＴ１（１）の発光を終了した時点で画像形成装置１００の所定の動作が継続している場合に、操作者に画像形成装置１００が所定の動作にあることを認識させることができる。
【００８５】
（第４実施形態）
第４実施形態では、発光制御部１７１ａは、操作者による操作部１０３への複数種類の操作に応じた第１発光パターンＰＴ１（１）〜ＰＴ１（ｎ）をそれぞれ発光する。こうすることで、第１発光パターンＰＴ１（１）〜ＰＴ１（ｎ）の発光により操作者による操作部１０３への操作に関して操作者に対して視覚的に表現することができる。ところで、操作者による操作部１０３への複数種類の操作の中には、操作後に一定の条件が満たされて初めて発光するべき操作（例えば画像形成装置１００へ情報を入力するための情報入力操作）に対応する第１発光パターンＰＴ１（３）と、操作後直ぐに発光してもよい操作（例えば画像形成装置へのキー入力するためのキー入力操作）に対応する第１発光パターンＰＴ１（１），ＰＴ１（２），ＰＴ１（ｎ）とがある。従って、複数種類の第１発光パターンＰＴ１（１）〜ＰＴ１（ｎ）をそれぞれ複数種類の操作に応じた最適な発光開始タイミングにすることが望まれる。この点、発光制御部１７１ａは、複数種類の第１発光パターンＰＴ１（１）〜ＰＴ１（ｎ）のそれぞれの発光開始タイミングを複数種類の操作の内容によって異ならせる。例えば、操作後、一定の条件が満たされて初めて発光するべき操作に対応する第１発光パターンＰＴ１（３）では、操作後に一定の条件が満たされた後に第１発光パターンＰＴ１（３）を発光する。一方、操作後直ぐに発光してもよい操作に対応する第１発光パターンＰＴ１（１），ＰＴ１（２），ＰＴ１（ｎ）では、操作後直ぐに第１発光パターンＰＴ１（１），ＰＴ１（２），ＰＴ１（ｎ）を発光する。こうすることで、複数種類の第１発光パターンＰＴ１（１）〜ＰＴ１（ｎ）をそれぞれ複数種類の操作に応じた最適な発光開始タイミングにすることができる。
【００８６】
第４実施形態において、複数種類の操作は、画像形成装置１００へ情報を入力するための情報入力操作を含んでいる。複数種類の第１発光パターンＰＴ１（１）〜ＰＴ１（ｎ）のうち情報入力操作に応じた第１発光パターンＰＴ１（３）の発光開始タイミングは、情報入力操作による情報（信号又はデータ）の入力の完了時である。こうすることで、画像形成装置１００へのキー入力するためのキー入力操作後、一定の条件が満たされた後に〔情報入力操作による情報（信号又はデータ）の入力の完了時に〕第１発光パターンＰＴ１（３）を発光することができる。
【００８７】
本実施の形態において、複数種類の操作は、画像形成装置１００へキー入力するためのキー入力操作を含んでいる。複数種類の第１発光パターンＰＴ１（１）〜ＰＴ１（ｎ）のうちキー入力操作に応じた第１発光パターンＰＴ１（１），ＰＴ１（２），ＰＴ１（ｎ）の発光開始タイミングは、キー入力操作の受け付け時である。こうすることで、操作後直ぐに（キー入力操作の受け付け時に）第１発光パターンＰＴ１（１），ＰＴ１（２），ＰＴ１（ｎ）を発光することができる。
【００８８】
（第５実施形態）
第５実施形態では、発光制御部１７１ａは、操作者による操作部１０３への複数種類の操作に応じた第１発光パターンＰＴ１（１）〜ＰＴ１（ｎ）をそれぞれ発光する。こうすることで、第１発光パターンＰＴ１（１）〜ＰＴ１（ｎ）の発光により操作者による操作部１０３への操作に関して操作者に対して視覚的に表現することができる。しかも、発光制御部１７１ａは、所定の動作（例えば画質調整動作、トナー補給動作及びウォームアップ動作）に対応する第２発光パターンＰＴ２を発光する。ところで、第１発光パターンＰＴ１（１）〜ＰＴ１（ｎ）の発光は、操作者による操作部１０３への操作（例えば画像形成装置１００に対して電源オフするための電源オフ操作、画像形成装置１００へ情報を入力するための情報入力操作、及び、ジョブを実行するためのジョブ実行操作）を表しているため、操作の内容を操作者に短時間で〔所定の一定時間（例えば１サイクル分）だけ〕知らせるだけでよい。一方、第２発光パターンＰＴ２の発光は、画像形成装置１００の所定の動作（例えば画質調整動作、トナー補給動作及びウォームアップ動作）を表しているため、所定の動作が継続しているときには、第２発光パターンＰＴ２の発光も継続していることが望まれる。この点、第１発光パターンＰＴ１（１）〜ＰＴ１（ｎ）の発光終了タイミングと第２発光パターンＰＴ２の発光終了タイミングとを異ならせる。例えば、操作者による操作部１０３への操作では、操作の内容を操作者に所定の一定時間だけ第１発光パターンＰＴ１（１）〜ＰＴ１（ｎ）を発光する。一方、所定の動作では、所定の動作が終了するまで第２発光パターンＰＴ２の発光を継続する。こうすることで、操作の内容を操作者に短時間で知らせることができる。さらに、所定の動作が継続しているときには、第２発光パターンＰＴ２の発光も継続することができる。
【００８９】
第５実施形態において、第１発光パターンＰＴ１（１）〜ＰＴ１（ｎ）の発光終了タイミングは、１サイクルの第１発光パターンＰＴ１（１）〜ＰＴ１（ｎ）が終了したときである。こうすることで、操作の内容を操作者に短時間で確実に知らせることができる。
【００９０】
第５実施形態において、第２発光パターンＰＴ２の発光終了タイミングは、所定の動作が終了したときである。こうすることで、所定の動作が継続しているときには、第２発光パターンＰＴ２の発光を確実に継続することができる。
【００９１】
第５実施形態において、複数種類の操作は、画像形成装置１００へキー入力するためのキー入力操作を含んでいる。所定の動作は、トナー補給動作及びウォームアップ動作のうち少なくとも１つの動作を含んでいる。こうすることで、キー入力操作では、操作の内容を操作者に所定の一定時間だけ第１発光パターンＰＴ１（１）〜ＰＴ１（ｎ）を発光する。一方、トナー補給動作及びウォームアップ動作のうち少なくとも１つの動作では、トナー補給動作及びウォームアップ動作のうち少なくとも１つの動作が終了するまでトナー補給動作及びウォームアップ動作のうち少なくとも１つの動作に対応する第２発光パターンＰＴ２の発光を継続する。こうすることで、キー入力操作の内容を操作者に短時間で知らせることができる。しかも、トナー補給動作及びウォームアップ動作のうち少なくとも１つの動作が継続しているときには、その第２発光パターンＰＴ２の発光も継続することができる。
【００９２】
（その他の実施形態）
本実施の形態では、ジョブ実行キー１２２ａは、ソフトウェアキーとしたが、操作部１０３に設けたハードウェアキーであってもよい。この場合、ハードウェアキーの実行キーを押下して発光パターンを表示することができる。また、本実施の形態では、光源の数は５つであったが、２つから４つ或いは６つ以上であってもよい。また、第１発光パターンＰＴ１は、５種類であったが、２種類から４種類或いは６種類以上であってもよい。また、発光制御部１７１ａは、コピー機能、スキャナ機能、ファクシミリ機能及びプリンタ機能の何れのときでも前述した発光動作を行うことができる。
【００９３】
本発明は、以上説明した実施の形態に限定されるものではなく、他のいろいろな形で実施することができる。そのため、係る実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００９４】
１００          画像形成装置
１０１          画像形成装置本体
１０３          操作部
１１０          画像形成部
１２０          操作装置
１２１          各種キー
１２１ａ        電源キー
１２１ｂ        節電キー
１２２          表示装置
１２２ａ        ジョブ実行キー
１５０          支持部
１５１          人感センサー
１７０          制御部
１７１          処理部
１７１ａ        発光制御部
１７２          記憶部
１８０          パターン発光部
１８１〜１８５  光源
１９０          情報入力部
１９１          第１情報入力部
１９１ａ        ＩＣカードリーダー
１９２          第２情報入力部
１９２ａ        ＮＦＣタグ
１９３          第３情報入力部
１９３ａ        ＵＳＢポート
２１０          ＩＣカード
２２０          ＮＦＣ対応携帯端末機
２２０ａ        ＮＦＣタグリーダー
２３０          ＵＳＢメモリー
ＦＬ            読み取り完了フラグ
ＰＴ１          第１発光パターン
ＰＴ２          第２発光パターン
ＳＦＬ          設定フラグ
【図１】
2020064184.tif 000003
【図２】
2020064184.tif 000004
【図３】
2020064184.tif 000005
【図４】
2020064184.tif 000006
【図５】
2020064184.tif 000007
【図６】
2020064184.tif 000008
【図７】
2020064184.tif 000009
【図８】
2020064184.tif 000010
【図９Ａ】
2020064184.tif 000011
【図９Ｂ】
2020064184.tif 000012
【図９Ｃ】
2020064184.tif 000013
【図９Ｄ】
2020064184.tif 000014
【図１０Ａ】
2020064184.tif 000015
【図１０Ｂ】
2020064184.tif 000016
【図１０Ｃ】
2020064184.tif 000017
【図１１】
2020064184.tif 000018
【図１２】
2020064184.tif 000019
【図１３】
2020064184.tif 000020
【図１４】
2020064184.tif 000021